【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
組織表面処置装置であって、以下：
内側を規定しそして近位端および遠位端を有するハウジングであって、該遠位端は、複数の開口部を有する組織接触表面を備える、ハウジング；
該ハウジングに結合された、ハンドピース；
該ハウジングの内側に配置可能なエネルギー送達デバイスであって、該エネルギー送達デバイスは、該複数の開口部の１つの開口部と実質的に整列する、組織穿刺遠位端を有する少なくとも１つの電極を備え、該少なくとも１つの電極は、該ハウジングの内側から、該開口部を通して進められ、そして標的組織部位へと展開されて、組織表面と少なくとも部分的に接する切除容量を規定するように構成されており、そして該エネルギー伝達デバイスは、エネルギー源に結合されるように適合されている、エネルギー送達デバイス；ならびに
該エネルギー送達デバイスに結合された、前進デバイスであって、該前進デバイスは、該ハウジングまたは該ハンドピースの少なくとも一方の内部に、少なくとも部分的に配置可能であり、該前進デバイスは、該少なくとも１つの電極の少なくとも一部を該ハウジングの内側から該標的組織部位へと進めるように、そして該少なくとも１つの電極を該ハウジングの内側に完全に引き込むように、構成されている、前進デバイス、
を備える、装置。
【請求項２】
前記少なくとも１つの電極が、ＲＦ電極であり、そして前記エネルギー源が、ＲＦ源である、請求項１に記載の装置。
【請求項３】
前記前進部材が、前記ハウジングの内部で往復運動するように構成されている、請求項１または請求項２に記載の装置。
【請求項４】
前記前進部材が、カム部材である、請求項１〜３のいずれか１項に記載の装置。
【請求項５】
前記前進部材が、ソレノイド、電気モータ、流体圧、空気圧および水圧からなる群のうちの１つによって前進されるように構成されている、請求項１〜４のいずれか１項に記載の装置。
【請求項６】
請求項１〜５のいずれか１項に記載の装置であって、該装置が；
前記ハウジングまたは前記前進部材のうちの１つに結合された、少なくとも１つの止め具であって、該止め具が、前記少なくとも１つの電極の穿刺の深さを制御する、止め具、
をさらに備える、装置。
【請求項７】
前記止め具が配置可能な請求項６に記載の装置。
【請求項８】
前記止め具が、割り出しデバイスまたは割り出し機構のうちの１つである、請求項６または請求項７に記載の装置。
【請求項９】
前記前進部材の移動が、該前進部材の長手方向軸に対して直線運動である、請求項１〜８のいずれか１項に記載の装置。
【請求項１０】
請求項１〜９のいずれか１項に記載の装置であって、前記少なくとも１つの電極が、少なくとも１つの第１の電極および１つの第２の電極を備え、該第１の電極が、第１の深さで展開可能であり、そして該第２の電極が、第２の深さで展開可能であり、該第１の深さおよび第２の深さが独立している、装置。
【請求項１１】
前記組織接触表面の少なくとも一部分が、実質的に剛性である、請求項１〜１０のいずれか１項に記載の装置。
【請求項１２】
請求項１〜１１のいずれか１項に記載の装置であって、該装置が、以下：
（ｉ）前記組織接触表面の少なくとも一部分に、含まれる絶縁層もしくは絶縁コーティング、または（ｉｉ）前記少なくとも１つの電極を囲む関係にある絶縁層もしくは絶縁コーティング、
をさらに備える、装置。
【請求項１３】
前記絶縁層または絶縁コーティングが、移動可能であるかまたは前記組織接触表面から取り外し可能である、請求項１２に記載の装置。
【請求項１４】
前記絶縁体が、選択可能エネルギー送達表面を作製するように、前記少なくとも１つの電極の上にスライド可能に配置可能である、請求項１２に記載の装置。
【請求項１５】
前記組織接触表面の少なくとも一部分が、前記エネルギー源に接続された伝導性接触表面である、請求項１〜１４のいずれか１項に記載の装置。
【請求項１６】
前記組織接触表面の少なくとも一部分が、平滑なコーティングを有する、請求項１〜１５のいずれか１項に記載の装置。
【請求項１７】
前記平滑なコーティングが、非粘着コーティング、疎水性コーティング、ポリマーコーティング、フルオロポリマーコーティング、またはシリコーンコーティングのうちの１つである、請求項１６に記載の装置。
【請求項１８】
前記少なくとも１つの電極および前記エネルギー送達デバイスに結合された電流および電圧の測定デバイスをさらに備える、請求項１〜１７のいずれか１項に記載の装置。
【請求項１９】
請求項１８に記載の装置であって、該装置が、以下：
前記少なくとも１つの電極に結合された多重化デバイスであって、該多重化デバイスは、前記エネルギー源ならびに前記電流および電圧の測定デバイスに結合されるように構成
されており、そして該多重化デバイスは、該電流および電圧の測定デバイスによる測定に応答して該少なくとも１つの電極へのエネルギー送達を制御するように構成されている、多重化デバイス、
をさらに備える、装置。
【請求項２０】
請求項１８または請求項１９に記載の装置であって、以下：
前記測定デバイスおよび前記エネルギー源に結合された論理リソースであって、該論理リソースは、前記少なくとも１つの電極に流れる電流の少なくとも一部を再指向するように構成されている、論理リソース
をさらに備える、装置。
【請求項２１】
請求項１〜２０のいずれか１項に記載の装置であって、以下：
前記ハウジング、前記組織接触表面、前期エネルギー送達デバイス、前記少なくとも１つの電極、または前記前進部材のうちの１つに結合された、センサ、
をさらに備える、装置。
【請求項２２】
前記センサが、熱センサ、熱電対、圧力センサ、力センサ、ひずみゲージ、位置センサ、ＬＶＤＴ、光学センサ、電流センサ、電圧センサ、ｐＨセンサ、抵抗器、レジスタンスストリップ、またはポテンシオメーターのうちの１つである、請求項２１に記載の装置。
【請求項２３】
前記センサが、電極位置、電極展開深さ、または該電極の完全引き抜き位置のうちの１つを感知するように構成されている、請求項２１または請求項２２に記載の装置。
【請求項２４】
請求項２１〜２３のいずれか１項に記載の装置であって、該装置は、以下：
（ｉ）前記センサ、（ｉｉ）少なくとも１つのＲＦ電極、または（ｉｉｉ）流体送達デバイスのうちの少なくとも１つに結合された、フィードバック制御リソースであって、該流体送達デバイスが、前記組織接触表面または前記エネルギー送達デバイスのうちの１つに位置する少なくとも１つの注入ポートに結合されている、フィードバック制御リソース、
をさらに備える、装置。
【請求項２５】
前記フィードバック制御リソースが、マイクロプロセッサ、制御装置、ソフトウェアモジュール、タンジブルメディアに記載されたソフトウェアプログラム、出力制御回路、電圧および電流モニタ、ユーザインターフェース、またはディスプレイのうちの少なくとも１つを備える、請求項２４に記載の装置。
【請求項２６】
前記フィードバック制御リソースが、前記エネルギー送達デバイスの近くでの組織乾燥またはインピーダンス上昇のうちの１つを低下させるためのプロセス変数を制御するように構成されている、請求項２４または請求項２５に記載の装置。
【請求項２７】
前記プロセス変数が、電力レベル、デューティーサイクル、エネルギー送達、ＲＦエネルギー送達、組織部位へのＲＦエネルギー送達の速度、流体送達、流体の流速または流体圧のうちの少なくとも１つを含む、請求項２６に記載の装置。
【請求項２８】
請求項１〜２７のいずれか１項に記載の装置であって、以下：
前記ハウジングの内側に配置可能な流体送達デバイスであって、該流体送達デバイスは、少なくとも１つの注入開口部および組織穿刺遠位端を有する、少なくとも１つの中空非伝導性注入部材を備え、該少なくとも１つの注入部材は、該ハウジングの内側から、標的組織部位へと進められ、該組織部位に流体を注入し、そして組織注入容量を規定するように構成されており、該流体送達デバイスは、流体源と結合されるように構成されている、
流体送達デバイス、
をさらに備える、装置
【請求項２９】
前記組織接触表面、前記エネルギー送達デバイス、または前記少なくとも１つの電極のうちの少なくとも１つが、中空であり、かつそれらを通じた少なくとも１つの注入ポートへの流体送達に適合されている、請求項２８に記載の装置。
【請求項３０】
前記少なくとも１つの注入ポートが複数の注入ポートを備える、請求項２９に記載の装置。
【請求項３１】
前記組織接触表面の少なくとも一部が、湾曲した輪郭、凹状の輪郭、凸状の輪郭、または傾斜した輪郭のうちの少なくとも１つを有する、請求項１〜３０のいずれか１項に記載の装置。
【請求項３２】
前記組織接触表面の少なくとも一部が、（ｉ）実質的に従順であるか、（ｉｉ）制御可能に従順であるか、または（ｉｉｉ）屈曲可能である、請求項１〜３１のいずれか１項に記載の装置。
【請求項３３】
前記従順な表面の少なくとも一部が、膨張可能であるか、拡張可能であるか、または拡張可能なバルーンである、請求項３２に記載の装置。
【請求項３４】
前記従順な部分が、関節付き部分、蝶番付き部分、可撓性部分、または弾性部分のうちの少なくとも１つを備える、請求項３２または請求項３３に記載の装置。
【請求項３５】
前記少なくとも１つの電極が、約４ｃｍの選択可能な深さまで前進可能である、請求項１〜３４のいずれか１項に記載の装置。
【請求項３６】
前記少なくとも１つの電極が、曲率を有して展開可能である、請求項１〜請求項３５のいずれか１項に記載の装置。
【請求項３７】
組織を切除するための、請求項１〜３６のいずれか１項に記載の装置の使用。